(57)【要約】【課題】内部に充満した腐敗ガスを無害化して排気し得るバイオハザードに対応した遺体収納袋を提供する。【課題の解決手段】遺体の収納袋１は、内部に遺体ａを収納して密閉するようになすとともに、内部空気を抜くための通気孔を有し、ジッパー３で開閉する開口部を有する内袋５と、この内袋５の外側を被覆するように設けるとともに、ジッパー６で開閉する開口部７を有する外袋８と、前記通気孔に着脱可能に設け、外部に抜ける内部空気から病原体及び汚染物質を除去し、無害化するエアーフィルター９と、を備えてなり、前記内袋５を透視可能な樹脂シートで形成する一方、前記外袋８のジッパー６開閉端部を、前記内袋５に収納状態の遺体ａの頭部側となるようにしたことを特徴とする。【選択図】図２
0003150964.tif 000002
【実用新案登録請求の範囲】
【請求項１】
内部に遺体を収納して密閉するようになすとともに、内部空気を抜くための通気孔を有する袋体と、前記通気孔に着脱可能に設け、外部に抜ける内部空気から病原体及び汚染物質を除去するエアーフィルターと、を備えてなる遺体収納袋。
【請求項２】
内部に遺体を収納して密閉するようになすとともに、内部空気を抜くための通気孔を有し、ジッパーで開閉し遺体を出し入れする開口部を有する内袋と、この内袋の外側を被覆するように設けるとともに、ジッパーで開閉する開口部を有する外袋と、前記通気孔に着脱可能に設け、外部に抜ける内部空気から病原体及び汚染物質を除去するエアーフィルターと、を備えてなり、前記内袋を透視可能な樹脂シートで形成する一方、前記外袋のジッパー開閉端部を、前記内袋に収納状態の遺体の頭部側となるようにしたことを特徴とする遺体収納袋。
【考案の詳細な説明】
【技術分野】
【０００１】
本考案は、新型インフルエンザなどの感染症が疑われる遺体を収納して搬送するのに好適な遺体収納袋に関し、特に、遺体から発生したガスを無害化して抜くことが可能な遺体収納袋するものである。
【背景技術】
【０００２】
一般に、遺体収納袋は、臭気や感染症の病原体が含まれている可能性がある腐敗ガスを外部に漏らさないように、非通気性素材で作成されているため、腐敗が進行すると腐敗ガスが内部に充満して、時には破裂する場合もある。従来は、前記腐敗ガスの発生を防ぐために、遺体の腐敗を極力抑えるという方法が主に採られており、この方法を用いた従来の遺体収納袋には、気密性素材からなる袋体に、その内部に冷気、防臭殺菌用気体を導入する導入管と、前記冷気や防臭殺菌用気体を戻す戻し管とを設けて、冷却源から前記冷気を導入し循環させ、遺体を低温に維持しながら腐敗ガスの発生を抑えるというもの（特許文献１参照）が提案されている。
【先行技術文献】
【特許文献】
【０００３】
【特許文献１】特開平９−２５３１４１号公報
【考案の概要】
【考案が解決しようとする課題】
【０００４】
上記従来例は、腐敗ガスの発生を防ぐために冷気を用いる方法をとっているが、収納袋とともに冷気を発生させる冷却源たる冷却器を準備して、遺体収容場所に持ち込まなければならないうえ、前記冷却器のコストもかかるという問題がある。本考案は、前記問題を解決することを課題とし、該課題を解決した遺体収納袋の提供を目的とする。
【課題を解決するための手段】
【０００５】
本考案の請求項１に係る本考案の遺体収納袋は、上記目的を達成するために、内部に遺体を収納して密閉するようになすとともに、内部空気を抜くための通気孔を有する袋体と、前記通気孔に着脱可能に設け、外部に抜ける内部空気から病原体及び汚染物質を除去するエアーフィルターと、を備えてなるものである。
【０００６】
また、請求項２に係る本考案の遺体収納袋は、内部に遺体を収納して密閉するようになすとともに、内部空気を抜くための通気孔を有し、ジッパーで開閉し遺体を出し入れする開口部を有する内袋と、この内袋の外側を被覆するように設けるとともに、ジッパーで開閉する開口部を有する外袋と、前記通気孔に着脱可能に設け、外部に抜ける内部空気から病原体及び汚染物質を除去するエアーフィルターと、を備えてなり、前記内袋を透視可能な樹脂シートで形成する一方、前記外袋のジッパー開閉端部を、前記内袋に収納状態の遺体の頭部側となるようにしたことを特徴とするものである。
【考案の効果】
【０００７】
請求項１に係る本考案によれば、腐敗ガスを抜くことが可能なので、破裂するおそれがないだけでなく、前記腐敗ガスを抜く際に、エアーフィルターで腐敗ガスに含まれる病原体及び汚染物質を除去し得るので、バイオハザードに対応できるという効果を奏する。
【０００８】
また、請求項２に係る本考案によれば、腐敗ガスを抜くことが可能なので、破裂するおそれがないだけでなく、内部空気を抜く際に、エアーフィルターで病原体及び汚染物質を除去し得るので、バイオハザードに対応でき、また、外袋と内袋の２重構造なので、搬送中に遺体が損傷しにくく、さらに、外袋と内袋の開閉手段をジッパーで構成したので、遺体の出し入れが容易であり、さらにまた、内袋が透視可能であることに加えて、前記各ジッパーの開閉端部を収納した遺体の頭部側となるように設けたので、遺体の顔確認を容易に行うことができるという効果を奏する。
【図面の簡単な説明】
【０００９】
【図１】図１は収納袋の平面図である。
【図２】図２は外袋を若干開いた状態の部分拡大平面図である。
【図３】図３は収納袋の部分拡大縦断面図である。
【図４】図４はエアーフィルターを外し、キャップで通気孔を閉じた状態を示す部分拡大断面図である。
【図５】図５は収納袋の背面図である。
【図６】図６は搬送補助ベルトの部分拡大正面図である。
【考案を実施するための形態】
【００１０】
以下に、本考案の好適な実施形態を添付図面の図１〜図６基づいて詳細に説明する。
【００１１】
図１〜図３に示すように、収納袋１は、内部に遺体ａを収納して密閉するようになすとともに、内部空気を抜くための通気孔２（図３参照）を有し、ダブルジッパー３で開閉する開口部４を有する袋体たる内袋５と、この内袋５の外側を被覆するとともに、ジッパー６で開閉する開口部７を有する外袋８と、前記通気孔２に着脱可能に設け、外部に抜ける内部空気から病原体及び汚染物質を除去し、無害化するエアーフィルター９とを備える。
【００１２】
図２に示すように、前記内袋５は、両端を閉塞し、その上面に、両端方向に伸びる切れ目からなる前記開口部４を設け、この開口部４の縁部にこれを開閉する前記ダブルジッパー３を設ける。このダブルジッパー３は、閉じた時に気密性が高く、内袋５内を外部に対して密閉することが可能である。なお、前記内袋５は、透視可能なポリエチレンフィルムとナイロンフルムを積層したもので、高い非通気性を有するとともに丈夫である。
【００１３】
図１及び図２に示すように、前記外袋８は、透視不能なポリプロピレン不織布からなるもので防水加工され、前記内袋５を被覆するように該内袋５の外側に設けられ、その一端側（収納された遺体ａの足側）を閉塞し、他端側（前記遺体ａの頭部側）を開放し、その上面には、両端方向に伸びる切れ目からなる前記開口部７を設ける。また、前記外袋８と内袋５とは、背面側及び側部側において面ファスナー（図示せず）で互いに分離可能に固定されている。このように、外袋８と内袋５が固定されていると、搬送時に、外袋８に対して遺体ａを収納した内袋５がずれないので搬送作業がし易い。さらに、前記外袋８は、内側の内袋５を損傷しないように保護するほかに、遺体ａへの衝撃を緩和する働きがあり、この外袋８を設けたことにより、屋外での搬送を安全に行うことが可能である。
【００１４】
図３に示すように、エアーフィルター９は、上下に排気パイプ１０と連結パイプ１１を突設し、内部にグラスファイバー製濾過材１２を備えたフィルター本体１３と、前記連結パイプ１１に固定した連結部材１４とからなる。また、内袋５の前記通気孔２には、袋内外を連通するとともに、前記連結部材１４を螺旋の螺合によって着脱可能に取り付けるようになした取付基材１５を設ける。この取付基材１５は、フィルター９を装着しない時にはキャップ１６を、螺旋の螺合によって着脱自在に取り付けてある。なお、前記フィルター本体１３の濾過材１２は公知であって、微細な塩化ナトリウム、バクテリア、細菌及び病原菌を高効率的に濾過するものである。
【００１５】
図１及び図５に示すように、外袋８の背面側には、その側面側から上面側にまわした両端部の固定ファスナー１７ａ，１７ｂにより離脱可能に連繋するようになした３本の固定ベルト１７を設ける。これら各固定ベルト１７は、内部の遺体ａを外袋８の上から緊締して位置固定するためのものであり、また、詳細には図示しないが長さ調節可能に構成してある。
【００１６】
図５に示すように、前記外袋８の背面側には、前記各固定ベルト１７に直行するように伸び、それぞれを外袋８の両端から突出させた先端部分にそれぞれリング状の搬送用ハンドル部１８ａ，１８ｂ（図６参照）を形成してなる２本の搬送補助ベルト１８を設ける。この２本の搬送補助ベルト１８は、外袋８の背面側に縦断するように設けられているので、外袋８の両端の搬送用ハンドル１８ａ，１８ｂを前後２人が各両手でもって搬送作業をする場合、２本の搬送補助ベルト１８に遺体ａの重量が掛かるため、各作業者は、搬送用ハンドル１８ａ，１８ｂによってバランスを取り易いという利点がある。
【００１７】
図３に示すように、前記内袋２の内側底部には、ポリマー不織布からなる吸水シート１９が敷設されている。この吸水シート１９は遺体ａから出る体液などの液体を吸収するためのものである。
【００１８】
以上のように構成した遺体収納袋１は、外袋８と内袋５のジッパー６、ダブルジッパー３の順で開口部７，４を開き、内袋５内に遺体ａを、その顔がダブルジッパー３の開閉端に位置するように内袋５内に収納し、前記ダブルジッパー３、ジッパー６の順で開口部４，７を閉め、収納を完了する。そして、前記取付基材１５からキャップ１６を外し、エアーフィルター９を取り付ける。内袋５内部のエアーは通気孔２からエアーフィルター９を介して抜けるので、内袋５内部のエアー圧で破裂することはないうえ、このエアー抜きの際、腐敗ガスの、感染症の病原体を含む汚染物質が濾過材１２によって除去される。また、搬送時には、各固定ベルト１７の両端部を外袋８の側面側から上面側にまわし、固定用ファスナー１７ａ，１７ｂを連結して遺体ａを位置固定し、二人の作業員で前後の搬送用ハンドル１８ａ，１８ｂを両手で持って移動する。なお、この搬送作業において、自動車や輸送用飛行機に搬出入する際には、前記二人のほかの補助者が、両端部を連結してリング状となった前記固定ベルト１７の上側を持って作業を手伝うこともできる。
【００１９】
なお、本考案は上記実施形態になんら限定されるものではなく、例えば、外袋８、固定ベルト１７、搬送補助ベルト１８及び吸水シート１９は、あえて設けなくてもよいほか、外袋８の表面には、トリアージカードやメモを入れる透明ポケットを設けてもよい。
【符号の説明】
【００２０】
１    収納袋
２    通気孔
３    ダブルジッパー
４，７    開口部
５    内袋
６    ジッパー
８    外袋
９    エアーフィルター
１０    排気パイプ
１１    連結パイプ
１２    濾過材
１３    フィルター本体
１４    連結部材
１５    取付基材
１６    キャップ
１７    固定ベルト
１７ａ，１７ｂ    固定用ファスナー
１８    搬送補助ベルト
１８ａ，１８ｂ    搬送用ハンドル
１９    吸水シート
【図１】
0003150964.tif 000003
【図２】
0003150964.tif 000004
【図３】
0003150964.tif 000005
【図４】
0003150964.tif 000006
【図５】
0003150964.tif 000007
【図６】
0003150964.tif 000008